(57)【要約】      （修正有）【課題】脱靴する動作は一見容易に思えるが、高齢者、妊婦、又は怪我人などにとっては負担がかかる。そこで起立したままの姿勢で脱靴は、脱靴の際に靴脱ぎ具が上方に浮き上がってしまい脱靴姿勢が不安定になる、靴踵部を挿入する凹部は種々の靴のサイズの大きさに多数のものを備える必要がある、等種々の課題があった。【解決手段】脱靴前に靴のつま先側で踏まれる靴踏み板３と、脱靴後に足を載せることができる広さを有する足載せ台４とを備えた脱靴台１とすることにより、起立姿勢での脱靴が可能となる。また、靴のつま先側を前記靴踏み板３に載せることで前記脱靴台３の浮き上がりを防止することも可能となり、足載せ台４を設けることで脱靴後の足が直ちに足載せ台４に載せられ、踵挿入部の形状を工夫することで様々なサイズの靴にも対応可能であり、脱靴すれば自動的に左右両方の靴が揃って整理整頓される、など種々の効果を有する脱靴台１を提供すること。【選択図】図１
2010154896.tif 000002
【特許請求の範囲】
【請求項１】
靴踵部が納まる前方開口の踵挿入凹部を備え、前記踵挿入凹部は奥側から前方開口部側に向けて次第に広がるテーパ形状であり、脱靴時に靴底の踵部又は靴の踵部が当接する踵挿入凹部の周壁は上方から下方に向けて裾広がりに傾斜して挿入された靴踵部の上方移動を規制可能とする傾斜面であることを特徴とする脱靴台。
【請求項２】
靴踵部が納まる前方開口の踵挿入凹部と、踵挿入凹部に挿入された靴の靴底のつま先側で踏まれる靴踏み板を備え、前記靴踏み板は踵挿入凹部に靴踵部が納まると靴のつま先側が載るように踵挿入凹部の前方に突設されたことを特徴とする脱靴台。
【請求項３】
靴踵部が納まる前方開口の踵挿入凹部と、踵挿入凹部に挿入された靴の靴底のつま先側で踏まれる靴踏み板を備え、前記踵挿入凹部は奥側から前方開口部側に向けて次第に広がるテーパ形状であり、脱靴時に靴底の踵部又は靴の踵部が当接する踵挿入凹部の周壁は上方から下方に向けて裾広がりに傾斜して挿入された靴踵部の上方移動を規制可能とする傾斜面であり、前記靴踏み板は踵挿入凹部に靴踵部が納まると靴のつま先側が載るように踵挿入凹部の前方に突設されたことを特徴とする脱靴台。
【請求項４】
請求項１乃至請求項３のいずれかに記載の脱靴台において、踵挿入凹部の後方に、踵挿入凹部に挿入した靴から脱靴後の足を載せることができる広さの足載せ台を備えたことを特徴とする脱靴台。
【請求項５】
請求項１乃至請求項４のいずれかに記載の脱靴台において、踵挿入凹部の奥にハイヒールのヒール部分を挿入できるヒール挿入部が設けられたことを特徴とする脱靴台。
【請求項６】
請求項１乃至請求項５のいずれかに記載の脱靴台において、脱靴時に靴底の踵部又は靴の踵部が当接する踵挿入凹部の周壁に、緩衝材が設けられたことを特徴とする脱靴台。
【請求項７】
請求項１乃至請求項６のいずれかに記載の脱靴台において、踵挿入凹部の底板又は／及び靴踏み板に汚れ除去材が設けられたことを特徴とする脱靴台。
【請求項８】
請求項１乃至請求項７のいずれかに記載の脱靴台において、脱靴台が２以上の脱靴台を相互に連結離脱可能な連結部を備えたことを特徴とする脱靴台。
【発明の詳細な説明】
【技術分野】
【０００１】
本願発明は、腰を曲げて靴に手や指を添えることなく起立した姿勢のまま靴を脱ぐ（脱靴する）ことができる脱靴台に関するものである。
【背景技術】
【０００２】
脱靴する場合には、しゃがんだり何かに腰かけたりした状態で、手指を添えて靴の踵部を押さえ、足を靴から抜くように行うのが一般的である。
このような動作は一見容易に思えるが、高齢者、妊婦、又は怪我人などにとっては負担のかかる動作である。
【０００３】
そこで、起立したままの姿勢で脱靴できるものが提案されている。たとえば、特許文献１は、踏み台の前面側に凹部を設け、ここに靴の踵側を入れて係止させることによって、起立したままの姿勢で脱靴できる靴脱ぎ具である。
【０００４】
【特許文献１】特開２００２−３００９５６号公報
【発明の開示】
【発明が解決しようとする課題】
【０００５】
しかしながら、上記のような靴脱ぎ具では、踏板が靴の踵を乗せる程度の広さしかないため、例えば左右の靴の踵を凹部に入れてから左足を先に脱靴する場合、踏板が右側の靴の踵でしか押さえられないため、脱靴のために左足を持ち上げると左の靴と共に靴脱ぎ具が上方に浮いてしまい脱靴姿勢が不安定になるという問題があった。この浮き上がりを回避するためには靴脱ぎ具を重くしたり、床面に固定したり、種々の対策を講じる必要があった。
【０００６】
さらに前記靴脱ぎ具では、靴の踵を差し込む凹部の大きさ（横幅）は、靴の踵のサイズ（横幅）に合った内寸が必要であるため、様々なサイズの踵に対応するためには、各種内寸の凹部を備えた靴脱ぎ具が必要であった。
【課題を解決するための手段】
【０００７】
本願発明の脱靴台は、上記課題を解決し、一台で各種サイズ、形状の靴でも脱靴でき、しかも起立したままで容易に脱靴できるようにしたものである。
【０００８】
本願発明の脱靴台は、靴踵部が納まる前方開口の踵挿入凹部を備えたものである。
この踵挿入凹部は奥側から前方開口部側に向けて次第に広がるテーパ形状であり、脱靴時に靴底の踵部又は靴の踵部が当接する踵挿入凹部の周壁は上方から下方に向けて裾広がりに傾斜しており、その傾斜面は挿入された靴踵部の上方移動を規制可能とするものである。
【０００９】
本願発明の脱靴台は、靴踵部が納まる前方開口の踵挿入凹部と、踵挿入凹部に挿入された靴の靴底のつま先側で踏まれる靴踏み板を備え、前記靴踏み板は踵挿入凹部に靴踵部が納まると靴のつま先側が載るように踵挿入凹部の前方に突設されたものとすることもできる。この場合、踵挿入凹部の形状を奥側から前方開口部側に向けて次第に広がるテーパ形状とし、脱靴時に靴底の踵部又は靴の踵部が当接する踵挿入凹部の周壁を上方から下方に向けて裾広がりに傾斜させ、その傾斜面により挿入された靴踵部の上方移動を規制可能とすることもできる。
【００１０】
本願発明の脱靴台は、踵挿入凹部の後方に、踵挿入凹部に挿入した靴から脱靴後の足を載せることができる広さの足載せ台を備えたり、踵挿入凹部の奥にハイヒールのヒール部分を挿入できるヒール挿入部を設けたり、脱靴時に靴底の踵部又は靴の踵部が当接する踵挿入凹部の周壁に緩衝材を設けたり、踵挿入凹部の底板又は／及び靴踏み板に汚れ除去材を設けたり、脱靴台が２以上の脱靴台を相互に連結離脱可能な連結部を備えたものとすることもできる。
【発明の効果】
【００１１】
本願発明の脱靴台には次のような効果がある。
（１）踵挿入凹部は奥側から前方開口部側に向けて次第に広がるテーパ形状であり、種々のサイズの靴に対応できるので、サイズの異なる多数の踵挿入部を用意する必要がない。
（２）脱靴時に靴底の踵部又は靴の踵部が当接する踵挿入凹部の周壁が、上方から下方に向けて裾広がりに傾斜して、挿入された靴踵部の上方移動を規制可能とする傾斜面となっているので、靴に手指を添える必要がなく、起立した姿勢のまま容易且つ確実に脱靴することができる。
（３）踏み板に靴のつま先側を載せることができるので、脱靴時に靴の踵側を持ち上げても脱靴台が浮き上がることが無く、安定した姿勢で脱靴できる。
（４）足載せ台を備えているので、片足の脱靴後直ちに足を載せることができ、他方の足の脱靴作業も安定した姿勢ででき、高齢者、妊婦等の屈む姿勢をとりにくい人にとっては脱靴時の負担が軽減される。
（５）踵挿入部にハイヒールのヒール部分を挿入できるヒール挿入部を設けたので、通常の種類の靴のほか婦人用のハイヒールにも対応できる。
（６）踵挿入部のうち脱靴時に靴の踵部が当接する範囲に緩衝材を設けたので、脱靴作業時に靴の踵に傷が付きにくい。
（７）踵挿入凹部の底板又は／及び靴踏み板に汚れ除去材を設けたので、脱靴の際に靴底についた泥や塵芥などが落ちやすくなる。また、踵挿入凹部の底板又は／及び靴踏み板が汚れず、除去材に付着した泥や塵芥などの除去も容易にできる。
（８）脱靴台に連結部を備えたので２以上の脱靴台を相互に連結すれば多数の利用者がある場合（脱靴する靴の数が多い場合）にも対応でき、不要分を取り外して収納しておくこともできる。
（９）脱靴台に左右２箇所の踵挿入凹部を設ければ、脱靴すれば自動的に左右両方の靴が揃い、靴が整理整頓される。
【発明を実施するための最良の形態】
【００１２】
（実施形態１）
本願発明の脱靴台１の一実施形態を図１に基づいて説明する。この実施形態では、脱靴台１の全体平面視が矩形の例を説明しているが、その形状は円形、楕円形、三角形、他の多角形、など任意の形状とすることができるのはいうまでもない。またその材質については、木製に限らずプラスチック製としたり、ゴムや合成樹脂で成形したり、これらの複合材とするなど、種々選択できる。
【００１３】
図１に示すように本願発明の脱靴台１は、大きくは踵挿入凹部２、靴踏み板３、足載せ台４で構成されており、踵挿入凹部２は足載せ台４の前方側の一部がくり抜かれるように形成されている。
靴踏み板３は脱靴の際に靴を履いた状態で足を載せるものであり、脱靴時に円滑に靴を載せられるように、薄板のもので形成されている。
【００１４】
足載せ台４は脱靴後に足を載せるためのものであり、足載せ台４の上面は足を載せることができる程度の面積が確保されている。この足載せ台４の上面には、木目調のカバーを貼ったり、模様を施した布製のものを貼ったり、絨毯のようなものを載せたり、足が滑らないように凹凸を設けたり、種々の工夫を加えることができる。この足載せ台４の上面の高さは、靴踏み板３の上面に比べ一段高くなっており、そのため足載せ台４は靴踏み板３よりも肉厚の板を用いるか、上面・底面・側面からなる箱型形状とすることができる。この場合、図１に示すように底面は靴踏み板３を延長して兼用することもできる。
なお、足載せ台４の上面と靴踏み板３の表面との高低差（段差）は、靴の踵部５を全部覆うほどの高さを必要とせず、後に説明するように靴の踵部５が踵挿入凹部２に挿入されると靴底の踵部又は靴の踵部が周壁に当接して靴の踵部５の上方向への移動が規制できる程度の高さがあればよい。
【００１５】
足載せ台４の前方面６側には、靴の踵部５の一部を挿入するための踵挿入凹部２が設けられている。この踵挿入凹部２は、左右の靴用として２箇所に設けられるのが望ましいが、脱靴台１を設置する余裕スペースにあわせて１箇所のみに設けたり、３箇所以上に設けたり、任意に設計できる。
【００１６】
この踵挿入凹部２の平面輪郭形状は、図１に示すように、足載せ台４の上面の中ほどを頂点とし前方面６にむけて徐々に広がる例えば放物線状となっている。踵挿入凹部２の輪郭が放物線形状となっているため、図２（ａ）（ｂ）に示すように足のつま先側７を靴踏み板３に載せ靴の踵部５を前方から後方に向けて徐々に移動させていくと（人の動きとしては靴の踵部５を後向きに移動させる動作となる）、靴の踵部５の幅に対して踵挿入凹部２の幅が徐々に狭くなっていき、ついには靴の踵部５（靴底の踵部又は靴本体の踵部）が、踵挿入凹部２の周壁８に当接する。靴の踵部５（靴底の踵部又は靴本体の踵部）が踵挿入凹部２の周壁８に当接する位置は、それぞれ靴のサイズによって異なる。具体的には大きなサイズの靴であれば踵挿入凹部２の浅い位置（前方面６に近い位置）で靴の踵部５（靴底の踵部又は靴本体の踵部）が当接し、小さいサイズの靴であれば踵挿入凹部２の深い位置（放物線の頂点に近い位置）で靴の踵部５（靴底の踵部又は靴本体の踵部）が当接する。換言すれば、様々なサイズの靴に対応して、靴の踵部５（靴底の踵部又は靴本体の踵部）を踵挿入凹部２の周壁８に当接させることができる。そのため、この踵挿入凹部２の奥行、すなわち放物線の頂点から前方面６までの長さは、ある程度の距離を確保しておくことが望ましい。踵挿入凹部２の平面輪郭形状は、前方面６にむけて徐々に広がる形状であれば放物線形状に限らず階段形など他の形状とすることもできる。
【００１７】
図１に示すように踵挿入凹部２の周壁８は、その全周に渡って上方（上面）から下方（床面側）に向けて裾広がりとなるよう傾斜している。脱靴する場合、足のつま先側７（概ね土踏まずよりも前方の部分）を支点として靴の踵部５を上方に持ち上げるように足の裏を回転させるが、靴の踵部５（靴底の踵部又は靴本体の踵部）を踵挿入凹部２の周壁８に当接させていれば、踵挿入凹部２の周壁８が下方に向けて広がる傾斜面を呈している効果で靴の踵部５の上方への移動は規制され、足だけが持ち上げられ、その結果脱靴できることになる。
なお、前記したとおり靴の踵部５（靴底の踵部又は靴本体の踵部）は、必ずしも踵挿入凹部２の頂点付近で当接するものとは限らず、踵挿入凹部２の任意の位置で周壁８に当接するため、前記傾斜形状は踵挿入凹部２の周壁８の全周に渡って施すことが望ましい。
【００１８】
靴の踵部５が踵挿入凹部２の周壁８に当接する際に、靴の踵部５が傷つくのを防ぐため周壁８に緩衝材９（図示しない）を設けることができる。この緩衝材９は、周壁８の全周に連続して設けてもよいし、間隔をあけて複数個所に設けてもよい。また、この緩衝材９は線状又は面状のものとして、周壁８の高さ方向に一列又は複数列配置することもできる。
緩衝材９の材質としては、ゴム製のものやビニール製のものが考えられるが、靴に対するクッションとなるのが目的であるから、その他の柔軟な素材であれば適宜選択できる。
緩衝材９の周壁８への取り付けは、あらかじめの周壁８に溝部を設けておきその溝部に緩衝材９の一部を挿入して固定したり、接着剤や両面テープなどで直接周壁８に接着したり、種々の方法が設計できる。
【００１９】
図１に示すように、脱靴後の足を載せることができる足載せ台４は、踵挿入凹部２の後方に配置されており、靴踏み板３と足載せ台４は連結されている。脱靴の際、靴の踵部５（靴底の踵部又は靴本体の踵部）を周壁８に当接させた状態で上方に持ち上げるため、周壁８の下方傾斜形状により足を動かす力が作用して足載せ台４も上方に移動しようとするが、足のつま先側７を靴踏み板３に載せて押さえつけているため、前記連結の効果で足載せ台４は上方に移動しない。
靴踏み板３の表面に人工芝を施し、脱靴時に靴底についた泥や塵芥といった汚れを除去できる構造とすることもできる。人工芝の代わりに汚れ除去材として、靴用マット、布製カバーを採用したり、靴踏み板３の表面そのものを凸凹形状としたりすることも可能で、またこの汚れ除去材を、靴踏み板３の表面ではなく踵挿入凹部２の底板（靴の踵部５で踏まれる部分）の表面に設けることも、靴踏み板３の表面及び踵挿入凹部２の底板表面の両方に設けることもできる。
【００２０】
（使用例）
本願発明の脱靴台１の使用例を図１、図２（ａ）（ｂ）に基づいて説明する。
本願発明の脱靴台１を利用する利用者は、まず足載せ台４を背にして両足が靴踏み板３の上に載るように起立し、図２（ａ）に示すように右足を右足用の踵挿入凹部２の前方から奥に向けて（利用者の背面側に向けて）、床面からあまり靴を浮かさないように（摺り足するように）徐々に移動させていく。
靴の踵部５（靴底の踵部又は靴本体の踵部）が踵挿入凹部２の周壁８に当接したことを確認すると右足の移動を止める。それから、足のつま先側７を支点として靴の踵部５を上方に持ち上げるように右足の裏を回転させる。このとき、靴の踵部５（靴底の踵部又は靴本体の踵部）を周壁８に当接させているので、踵挿入凹部２が下方傾斜形状を呈している効果によって、靴の踵部５の上方への移動は規制され、右足だけが持ち上げられて脱靴できる。また、足のつま先側７が靴踏み板３を押さえつけているため足載せ台４は上方に移動せず、利用者は安定した姿勢のまま脱靴できる。
図２（ｂ）に示すように、脱靴できた右足はそのまま足載せ台４の上面に載せる。
同様に左足の靴も脱靴し、同様に足載せ台４の上面に載せる。なお、後の足（この例では左足）を脱靴する際は、前の足（この例では右足）が足載せ台４の上面に載っているため、足載せ台４の上方への移動はよりいっそう抑えられることになり、より安心して起立姿勢を保つことができる。
両足ともに脱靴した後には、踵挿入凹部２の形状にあわせて自然に靴が揃えられている。
【００２１】
（実施形態２）
本願発明の脱靴台１の他の実施形態を図３に基づいて説明する。なお、ここでは実施形態１と共通する部分は説明を省き、本実施例特有の部分についてのみ説明する。
【００２２】
本実施例は婦人用のハイヒールのために用いられる脱靴台１である。図１に示すように、踵挿入凹部２の後方（放物線の頂点部）にはヒール挿入部１０が備えられ、脱靴時にハイヒールのヒールをヒール挿入部１０に挿入すれば脱靴の妨げとならない。また、ハイヒールの踵部５は床面から比較的高い位置にあるので、踵挿入凹部２の周壁８の高さはハイヒールの踵部５の高さにあわせたものとする必要がある。
【００２３】
このようにハイヒール用として踵挿入凹部２の周壁８の高さをあらかじめ相当高さにした脱靴台１を用意してもよいし、図３に示すように、実施例１の脱靴台１の踵挿入凹部２の後方にヒール挿入部１０を設けたうえで、踵挿入凹部２の周壁８を上方に延長するようなハイヒール嵌合具１１を踵挿入凹部２の上方に取り付けてもよい。このハイヒール嵌合具の周壁１２も踵挿入凹部２の周壁８と同様、全周に渡って上方（上面）から下方（床面側）に向けて裾広がりとなるよう傾斜している。
ハイヒール利用者が脱靴する場合、ハイヒールの踵部が踵挿入凹部２の周壁８又はハイヒール嵌合具の周壁１２に当接するまで足を後退させ、当接したことを確認すると踵部を上方に持ち上げるように足の裏を回転させて脱靴する。ハイヒールの踵部が踵挿入凹部２の周壁８の最奥（又はハイヒール嵌合具の周壁１２の最奥）で当接する場合には、ハイヒールのヒールがヒール挿入部１０に挿入されるので足の後退を妨げず、踵部は確実に当接し脱靴することができる。
なお、前記ハイヒール嵌合具１１は、両面テープなどで足載せ台４の上面に脱着可能とすることもできる。
【００２４】
（実施形態３）
本願発明の脱靴台１の他の実施形態を図４に基づいて説明する。なお、ここでは実施形態１と共通する部分は説明を省き、本実施例特有の部分についてのみ説明する。
本願発明の脱靴台１は、相互に連結し、その連結を解除できる構造とすることもできる。たとえば、日常は数個の脱靴台１を玄関において利用するが余は収納しておき、来客が多いときに収納していた脱靴台１を連結して踵挿入凹部２を増設して対応することもできる。
この連結は図４に示すように、脱靴台１の両脇にそれぞれレール部１３を設け、そのレール部１３の一方は凸形で他方が凹形とし、隣接する脱靴台１のレール部１３の凸凹を嵌合させてスライドし固定する。連結を解除するときは逆方向にスライドさせて解除する。なおこのレール形式のほか、踵挿入凹部２の両脇に凸形の突起物と凹形の嵌合部（図示しない）を備え、双方を嵌合させることで連結させることもできるし、踵挿入凹部２両脇に凹形の嵌合部を備え、隣接する、脱靴台１の凹形の嵌合部どうしの位置を合わせた上でこれに嵌合するピースをはめ込んで連結させることもできる。
【産業上の利用可能性】
【００２５】
本願発明の脱靴台は、一般家庭の玄関をはじめ幼稚園や学校、病院、学生寮、旅館やホテルなど、様々な施設で利用することができる。
【図面の簡単な説明】
【００２６】
【図１】本願発明の脱靴台を示す斜視図
【図２】本願発明の脱靴台による脱靴手順を示す説明図
【図３】本願発明の脱靴台にヒール挿入部を設けた場合の斜視図
【図４】本願発明の脱靴台に連結部を設け、脱靴台を相互に連結した場合の斜視図
【符号の説明】
【００２７】
１  脱靴台
２  踵挿入凹部
３  靴踏み板
４  足載せ台
５  靴の踵部
６  前方面
７  足のつま先側
８  周壁
９  緩衝材
１０  ヒール挿入部
１１  ハイヒール嵌合具
１２  ハイヒール嵌合具の周壁
１３  レール部
【図１】
2010154896.tif 000003
【図２】
2010154896.tif 000004
【図３】
2010154896.tif 000005
【図４】
2010154896.tif 000006